(57)【要約】【課題】ＨＤＭＩで接続された機器間のディスプレイ自動検出動作が不成功に終わったときにパラメータを変えてディスプレイ自動検出動作を再度行わせるようにする。【解決手段】この映像表示システムは、映像送信装置と映像表示装置２０とをＨＤＭＩ１を介して接続したものである。映像表示装置２０は、複数の形式の表示側認識用データが記憶され、そのうち一つが初期読み出しデータとして設定されたＥＤＩＤメモリ２５と、映像送信装置１０からＤＤＣを通じて入力された接続信号（パワー＋５Ｖ）に対するＨＰＤとＥＤＩＤメモリ２５の初期読み出しデータとを返信する応答ユニット２３と、リモコン３０からのディスプレイ認識コマンドが受け付けられた場合、ＥＤＩＤメモリ２５の初期読み出しデータを他のデータに入れ換えた後、上記ＨＰＤの出力をリセットさせる制御ユニット２４とを備える。【選択図】図１
2008158220.tif 000002
【特許請求の範囲】
【請求項１】
映像送信装置とデジタルインターフェースを介して接続され、前記デジタルインターフェースのディスプレイデータチャネルから前記映像送信装置が取得した表示側認識用データに従って、前記映像送信装置から送信された該当表示データを受信し表示する映像表示装置において、
複数の形式の表示側認識用データが記憶され、そのうち一つが初期読み出しデータとして設定されたメモリと、
前記映像送信装置から前記ディスプレイデータチャネルを通じて入力された接続信号に対する応答信号と前記メモリの初期読み出しデータとを返信する応答ユニットと、
利用者から入力された前記映像表示装置に対するディスプレイ認識コマンドを受け付ける受付ユニットと、
前記受付ユニットによりディスプレイ認識コマンドが受け付けられた場合、前記メモリの初期読み出しデータを他の形式の表示側認識用データに書き換えた後、前記応答ユニットからの応答信号の出力をリセットさせる制御ユニットと
を具備することを特徴とする映像表示装置。
【請求項２】
利用者の操作により、前記ディスプレイ認識コマンドを前記受付ユニットへ送信するリモートコントローラーを具備することを特徴とする請求項１記載の映像表示装置。
【請求項３】
前記リモートコントローラーに設けられたＨＤＭＩオプションボタンが押下された場合、表示側認識用データを変更するためのＨＤＭＩオプションメニューを表示するメニュー表示部を具備することを特徴とする請求項２記載の映像表示装置。
【請求項４】
前記ＨＤＭＩオプションメニューに、色深度を有効または無効にするための指示を受け付けるための受付部を設けたことを特徴とする請求項３記載の映像表示装置。
【請求項５】
前記ＨＤＭＩオプションメニューに、拡張色空間規格を有効または無効にするための指示を受け付けるための受付部を設けたことを特徴とする請求項３記載の映像表示装置。
【請求項６】
映像送信装置と映像表示装置とをデジタルインターフェースを介して接続した映像表示システムにおいて、
前記映像送信装置は、
前記デジタルインターフェースのディスプレイデータチャネルを通じて接続信号を送信し、返信されてきた応答信号と表示側認識用データに従い送信側のメモリに設定された中から適合する表示データを前記映像表示装置へ送信する送信側制御ユニットを備え、
前記映像表示装置は、
複数の形式の表示側認識用データが記憶され、そのうち一つが初期読み出しデータとして設定された表示側のメモリと、
前記ディスプレイデータチャネルを通じて前記映像送信装置から入力された接続信号に対する応答信号と前記表示側のメモリの初期読み出しデータとを返信する応答ユニットと、
前記映像表示装置に対するディスプレイ認識コマンドを受け付ける受付ユニットと、
前記受付ユニットによりディスプレイ認識コマンドが受け付けられた場合、前記表示側のメモリの初期読み出しデータを他の形式の表示側認識用データに書き換えた後、前記応答ユニットからの応答信号の出力をリセットさせる表示側制御ユニットと
を具備することを特徴とする映像表示システム。
【請求項７】
映像送信装置と映像表示装置とをデジタルインターフェースを介して接続した映像表示システムにおける映像表示方法において、
前記映像送信装置から前記デジタルインターフェースのディスプレイデータチャネルを通じて接続信号を送信するステップと、
前記映像表示装置が、前記ディスプレイデータチャネルを通じて受信された接続信号に対して応答信号と複数の形式の表示側認識用データが記憶された中の一つが初期読み出しデータとして設定された表示側のメモリの初期読み出しデータとを返信するステップと、
前記映像送信装置が、受信した応答信号と初期読み出しデータに従い送信側のメモリに設定された中から適合する表示データを前記映像表示装置へ送信するステップと、
前記映像表示装置が、ディスプレイ認識コマンドを受け付けるステップと、
前記ディスプレイ認識コマンドが受け付けられた場合、前記表示側のメモリの初期読み出しデータを他の形式の表示側認識用データに書き換えた後、前記応答信号の出力をリセットするステップと
を有することを特徴とする映像表示方法。
【発明の詳細な説明】
【技術分野】
【０００１】
本発明は、例えばＤＶＤプレーヤー、デジタルチューナーおよびゲーム機などの映像送信装置とＨＤＭＩまたはＤＶＩ等のデジタルインターフェースを介して接続される映像表示装置、映像表示システムおよび映像表示方法に関する。
【背景技術】
【０００２】
ＨＤＭＩ、ＤＶＩ等のデジタルインターフェースを装備した機器では、映像送信装置と映像表示装置とをつなぐと、ＤＤＣライン（Display data channel Line）を利用して映像送信機器が映像表示装置のＥＤＩＤ（Extended display identification Data）を読み込み、ＥＤＩＤに書かれている映像表示装置の表示可能な映像形式情報を読み取り、その形式の中から自身に設定されている映像形式に適合する映像信号を送信する仕組みになっている。
【０００３】
従来の技術としては、システム装置がデータを送出するＤＤＣ制御信号を用いて、ディスプレイ装置から一方的にＥＤＩＤデータの読み出しを行うだけでなく、ディスプレイ装置にオンスクリーンディスプレイモード（ＯＳＤモード）を設け、このＯＳＤモードを起動してディスプレイ装置の側からシステム装置に対して解像度、同期周波数の切り替え制御を行うことで、システム装置の表示モードを切り替える技術がある（特許文献１参照）。
【特許文献１】特開平１１−１５４２５号公報
【発明の開示】
【発明が解決しようとする課題】
【０００４】
しかしながら、上記技術を適用した場合であっても、初めの接続手順の中で映像表示装置に何も表示されない場合には、ＯＳＤモードすらも使えず、問題は解消されない。
【０００５】
本発明はこのような課題を解決するためになされたもので、映像送信装置と映像表示装置とをデジタルインターフェースを介して接続したときのディスプレイ自動検出手順が不成功に終わったときにも異なる設定で再度ディスプレイ自動検出手順を行わせることができる映像表示装置、映像表示システムおよび映像表示方法を提供することを目的とする。
【課題を解決するための手段】
【０００６】
上記の課題を解決するために本発明の映像表示装置は、映像送信装置とデジタルインターフェースを介して接続され、前記デジタルインターフェースのディスプレイデータチャネルから前記映像送信装置が取得した表示側認識用データに従って、前記映像送信装置から送信された該当表示データを受信し表示する映像表示装置において、複数の形式の表示側認識用データが記憶され、そのうち一つが初期読み出しデータとして設定されたメモリと、前記映像送信装置から前記ディスプレイデータチャネルを通じて入力された接続信号に対する応答信号と前記メモリの初期読み出しデータとを返信する応答ユニットと、利用者から入力された前記映像表示装置に対するディスプレイ認識コマンドを受け付ける受付ユニットと、前記受付ユニットによりディスプレイ認識コマンドが受け付けられた場合、前記メモリの初期読み出しデータを他の形式の表示側認識用データに書き換えた後、前記応答ユニットからの応答信号の出力をリセットさせる制御ユニットとを具備することを特徴とする。
【０００７】
本発明の映像表示システムは、映像送信装置と映像表示装置とをデジタルインターフェースを介して接続した映像表示システムにおいて、前記映像送信装置は、前記デジタルインターフェースのディスプレイデータチャネルを通じて接続信号を送信し、返信されてきた応答信号と表示側認識用データに従い送信側のメモリに設定された中から適合する表示データを前記映像表示装置へ送信する送信側制御ユニットを備え、前記映像表示装置は、複数の形式の表示側認識用データが記憶され、そのうち一つが初期読み出しデータとして設定された表示側のメモリと、前記ディスプレイデータチャネルを通じて前記映像送信装置から入力された接続信号に対する応答信号と前記表示側のメモリの前記初期読み出しデータとを返信する応答ユニットと、前記映像表示装置に対するディスプレイ認識コマンドを受け付ける受付ユニットと、前記受付ユニットによりディスプレイ認識コマンドが受け付けられた場合、前記表示側のメモリの前記初期読み出しデータを他の形式の表示側認識用データに書き換えた後、前記応答ユニットからの応答信号の出力をリセットさせる表示側制御ユニットとを具備することを特徴とする。
【０００８】
本発明の映像表示方法は、映像送信装置と映像表示装置とをデジタルインターフェースを介して接続した映像表示システムにおける映像表示方法において、前記映像送信装置から前記インターフェースのディスプレイデータチャネルを通じて接続信号を送信するステップと、前記映像表示装置が、前記ディスプレイデータチャネルを通じて受信された接続信号に対して応答信号と複数の形式の表示側認識用データが記憶された中の一つが初期読み出しデータとして設定された表示側のメモリから初期読み出しデータとを返信するステップと、前記映像送信装置が、受信した応答信号と初期読み出しデータに従い、送信側のメモリに設定された中から適合する表示データを前記映像表示装置へ送信するステップと、前記映像表示装置が、ディスプレイ認識コマンドを受け付けるステップと、前記ディスプレイ認識コマンドが受け付けられた場合、前記表示側のメモリの初期読み出しデータを他の形式の表示側認識用データに書き換えた後、前記応答信号の出力をリセットするステップとを有することを特徴とする。
【発明の効果】
【０００９】
本発明によれば、映像送信装置と映像表示装置とをデジタルインターフェースを介して接続したときのディスプレイ自動検出手順が不成功に終わったときにも異なる設定で再度ディスプレイ自動検出手順を行わせることができる。
【発明を実施するための最良の形態】
【００１０】
以下、本発明の実施の形態について図面を参照しながら説明する。図１は本発明の実施形態に係る映像表示システムの構成を示すブロック図である。
【００１１】
図１に示すように、この映像表示システムは、映像送信装置１０と映像表示装置２０とをHigh Definition Multimedia Interface１：以下ＨＤＭＩ１と称す。）を介して接続したものである。
【００１２】
ＨＤＭＩ１は、映像と音声のデジタル信号伝送規格で、ＨＤＭＩ対応の映像送信装置（ＤＶＤプレーヤー，Ｄ−ＶＨＳレコーダ，セットトップボックス，カムコーダー：Camcorderなど）と映像表示装置２０（ＴＶ、モニターなど）の間の信号伝送に用いられる。
【００１３】
ＨＤＭＩ１には、ＴＭＤＳライン（Transition Minimized Differential Signaling Line）、５Ｖ_パワーライン，ホットプラグディテクトライン（Hot Plug Detect Line：ＨＰＤライン），ＤＤＣライン（Display Data Channel Line），ＣＥＣライン等が含まれている。
【００１４】
ＴＭＤＳラインでは、映像送信装置１０から映像および音声等の信号が送信される。
【００１５】
ＤＤＣラインは、Ｉ２Ｃとほぼ同様の仕様とされ、映像送信装置１０へのＥＤＩＤ（Extended display identification Data）データの読み込みとＨＤＣＰ認証が行われる。
【００１６】
ＥＤＩＤは、モニタの仕様・特性を示すパラメータであり、本実施例では、表示側識別用データをいう。
【００１７】
ＨＤＭＩ１に入力される映像データおよび音声データの受信フォーマットは、以下の通りとなっている。
【００１８】
・映像：1920×1080p，1920×1080i，1280×720p，640×480p，720×480p，720×480i，1440×480p(rep1)（ＰＡＬ圏追加：720×576p，720×576i，1440×576p(rep1)）
【００１９】
・音声：リニアＰＣＭ，２ｃｈ(ステレオ)，Ｆｓ=48/44.1/32kHz，ビット長=24/20/16bit
【００２０】
映像送信装置１０には、制御ユニット１２を有する送信ブロック１１が設けられている。制御ユニット１２は、例えばセントラルプロセッシングユニット(以下「ＣＰＵ」と称す)と、ＣＰＵに処理を実行させるプログラムを記憶したメモリとによって実現される。制御ユニット１２は、ＨＤＭＩ１のＤＤＣラインを通じて映像表示装置２０から取得した表示側認識用データに従って、メモリに記憶されている該当表示データを送信する。このメモリを送信側のメモリという。
【００２１】
映像表示装置２０は、ＨＤＭＩ受信ブロック２２、表示側のメモリとしてのＥＤＩＤメモリ２５、ビデオプロセッサ２６、表示パネル２７、デジタルアナログ変換器２８（以下「Ｄ／Ａ２８」と称す）、スピーカ２９を備える。また、映像表示装置２０は、リモートコントローラー３０（以下「リモコン３０」と称す）から送信された指示コマンドを受信し受け付ける。
【００２２】
リモコン３０は、例えば赤外線通信機能を備えたＴＶリモコンである。リモコン３０には、指示コマンド送信用のボタンとして、例えばチャンネル切り替えボタン、音量増減ボタン等の通常のＴＶ操作用のボタンの他、ＨＤＭＩレスキューボタン３１、ＨＤＭＩオプションボタン３２等が設けられている。
【００２３】
リモコン３０は、ＨＤＭＩレスキューボタン３１が利用者により押下されると、ディスプレイ認識コマンドを受付ユニット２１へ送信する。リモコン３０は、ＨＤＭＩオプションボタン３２が利用者により押下されると、ＨＤＭＩオプションメニュー表示コマンドを受付ユニット２１へ送信する。
【００２４】
ＨＤＭＩ受信ブロック２２には、応答ユニット２３、制御ユニット２４などが備えられている。ＥＤＩＤメモリ２５には、複数の形式の対応フォーマットの情報(表示側認識用データ)が記憶されている。
【００２５】
表示側認識用データとしては、例えば映像データの形式および解像度、同期周波数等のディスプレイ仕様、音声データの形式、サンプリング周波数：Ｆｓおよびビット長等の音声仕様等のデータが含まれる。
【００２６】
映像データの解像度としては、1920×1080p，1920×1080i，1280×720p，640×480p，720×480p，720×480i，1440×480p(rep1)（ＰＡＬ圏追加：720×576p，720×576i，1440×576p(rep1)）等がある。音声データの形式、Ｆｓ、ビット長としては、リニアＰＣＭ，２ｃｈ(ステレオ)，Ｆｓ=48/44.1/32kHz，ビット長=24/20/16bit等がある。
【００２７】
これら表示側認識用データの中の一つが初期読み出しデータとして設定されている。
【００２８】
この例では、初期読み出しデータとして、例えば映像については、解像度として640×480pが設定され，音声については、リニアＰＣＭ，２ｃｈ(ステレオ)，Ｆｓ=44.1kHz，ビット長=16bit等が設定されているものとする。
【００２９】
応答ユニット２３は、映像送信装置１０からＤＤＣを通じて入力された接続信号（５Ｖ）に対する応答信号（ＨＰＤ）とＥＤＩＤメモリ２５の初期読み出しデータを返信する。
【００３０】
ＨＤＭＩ受信ブロック２２には、受付ユニット２１が接続されている。受付ユニット２１は、例えば赤外線受光ユニットなどであり、リモコン３０から送信された映像表示装置２０に対するディスプレイ認識コマンドを受信し、受け付ける。
【００３１】
制御ユニット２４は、例えばＣＰＵと、このＣＰＵに処理を実行させるプログラムを記憶したメモリとによって実現される。制御ユニット２４は、受付ユニット２１によりディスプレイ認識コマンドが受け付けられた場合、ＥＤＩＤメモリ２５の初期読み出しデータを他の形式の表示側認識用データに書き換えた後、応答ユニット２３からの応答信号（ＨＰＤ＋５Ｖ）の出力をリセットする。ＥＤＩＤメモリ２５はメモリに含まれている。
【００３２】
なお、リセットとは、応答信号(ＨＰＤ＋５Ｖ)の出力がＨｉだったものを一旦Ｌｏに落とし、再度Ｈｉに出力することを言う。このように応答信号(ＨＰＤ＋５Ｖ)をリセットすることで、映像送信装置１０の制御ユニット１２に、表示側認識用データの読み込み動作を再度開始させることができる。
【００３３】
この他、リセット動作としては、応答信号(ＨＰＤ＋５Ｖ)の出力がＨｉだったものをＬｏに落とし、接続信号（５Ｖ）が入力された際にＨｉに切り替える（戻す）動作であっても良い。また、応答信号を(ＨＰＤを−５Ｖ（Ｌｏ出力）としてリセットにより、０Ｖにしても良い。このようにリセットとは、信号を変化させる動作をいい、これ以外の信号の変化も許容される。
【００３４】
以下、図２、図３を参照してこの映像表示システムの動作を説明する。まず、図２を参照して通常のディスプレイ自動検出手順について説明する。
【００３５】
ＨＤＭＩ１のケーブルの一端を映像送信装置１０のＨＤＭＩ端子に接続し、他端を映像表示装置２０のＨＤＭＩ接続端子に接続すると、映像送信装置１０のＨＤＭＩ送信ブロック１１の制御ユニット１２よりＨＤＭＩ１の５Ｖパワーラインを通じて接続信号（パワー＋５Ｖ）が映像表示装置２０のＨＤＭＩ受信ブロック２２へ供給される（図２のＳ１０１）。
【００３６】
ＨＤＭＩ受信ブロック２２では、パワー＋５Ｖの供給によって応答ユニット２３が、ケーブルが挿入されたことを検知し、ＨＰＤラインに＋５Ｖの応答信号（ＨＰＤ＋５Ｖ）を返し（Ｓ１０２）、映像送信装置１０へ動作可能な状態であることを通知する。
【００３７】
また、応答ユニット２３は、供給されたパワー＋５Ｖをビデオプロセッサ２６へ供給することで、ビデオプロセッサ２６によってもＨＤＭＩケーブルの挿入が検知され、次に送られてくる映像信号の処理に備える。
【００３８】
映像送信装置１０では、応答信号（ＨＰＤ＋５Ｖ）を受信後、制御ユニット１２は、次に、ＤＤＣラインを通じて映像表示装置２０のＥＤＩＤメモリ２５の初期読み出しデータのアドレスを指定して、ＥＤＩＤデータを読み込み（Ｓ１０３）、映像表示装置２０の側の映像および音声の対応可能形式の情報を取得し、表示側の対応形式に対して、自機に設定された映像及び音声の形式が適合するかどうかを確認する。
【００３９】
また、制御ユニット１２は、ＤＤＣラインを通じてＨＤＣＰ（High-bandwidth Digital Content Protection）の認証に必要なデータのやりとりを行う。認証に必要なデータとして、例えばＨＤＣＰ鍵情報があるが、この例では、ＨＤＭＩ受信ブロック２２の記憶領域にＨＤＣＰ鍵情報が格納されているものとする。
【００４０】
映像送信装置１０の制御ユニット１２は、映像表示装置２０側の映像および音声の対応可能形式の情報を確認し、かつ認証処理を行った後、メモリに予め設定されている同パラメータの中から映像表示装置２０に適合する映像、音声およびＡＵＸ情報などの信号をＴＭＤＳラインを通じて映像表示装置２０へ送る（Ｓ１０４）。この信号をＴＭＤＳ信号という。
【００４１】
映像表示装置２０では、送られてきたＴＭＤＳ信号をＨＤＭＩ受信ブロック２２が受信し、映像信号（デジタルＹ，Ｐｂ／Ｐｒ），同期信号（Ｈ，Ｖ，ＣＫ）およびデジタル音声信号を出力する。映像信号は、デジタル出力として後段のビデオプロセッサ２６へ入力される。ビデオプロセッサ２６では、映像信号に輝度補正、スケーラ処理などが行われた後、表示パネル２７に映像が表示される。
【００４２】
音声信号は、Ｄ／Ａ２８、アウトプットバッファ回路および音声処理回路などの音声処理回路を通じてスピーカ２９から出力される。
【００４３】
通常のＨＤＭＩ接続手順が行われたものの、下記のような問題が発生することがある。
【００４４】
（１）映像送信装置１０側が選択し送信した映像・音声その他の形式が映像表示装置２０でサポートしている形式であっても、情報の送受信タイミングが合わない等の理由で映像・音声等が正常に出力されない現象が発生することがある。
【００４５】
（２）また、ユーザが映像送信装置１０の映像・音声その他の形式設定を変更し、接続している映像表示装置２０がその形式をサポートしていない場合にも正常に出力されなくなってしまうことが起こる。
【００４６】
このような場合、従来は、現象に応じて、映像送信装置１０を操作して電源を入れ直す、ＨＤＭＩ１のケーブルの抜き差しを行う、利用者が映像送信装置１０を操作して正常に表示できる形式を選び直す、等の作業が必要であった。
【００４７】
ただし、このような作業を行ったとしてもＥＤＩＤメモリ２５内の表示可能形式情報が同じままであれば、再び映像・音声が出力されないという状況が発生する可能性もある。
【００４８】
すなわち、通常のＨＤＭＩ接続手順の結果、映像表示装置２０の表示パネル２７に表示された映像の解像度や音声に利用者が違和感を感じたり、映像または音声が乱れたり、映像または音声がまったく出力されないことがある。
【００４９】
そこで、本実施形態の映像表示システムでは、ディスプレイ自動検出手順を実行後（図３のＳ２０１）、映像が表示されない場合、利用者は、リモコン３０のＨＤＭＩレスキューボタン３１を押下する（Ｓ２０２）。
【００５０】
すると、リモコン３０から、映像表示装置２０に対するディスプレイ認識コマンドが送信される。
【００５１】
リモコン３０から送信されたディスプレイ認識コマンドが受付ユニット２１により受信され、受け付けられると、制御ユニット２４は、ＥＤＩＤメモリ２５の初期読み出しデータを予め機器側に設定した順序で他の対応可能映像・音声等の形式データ（表示側認識用データ）に入れ換え後、ＨＤＭＩ受信ブロック２２内部をリセットし、応答ユニット２３からの応答信号（ＨＰＤ＋５Ｖ）の出力をリセットさせる（Ｓ２０４）。
【００５２】
すると、映像送信装置１０の制御ユニットは、応答信号（ＨＰＤ＋５Ｖ）の出力がリセットされたことで、ＨＤＭＩ１が外れたものと判定し、図２に示したディスプレイ自動検出手順を再実行する（Ｓ２０５）。
【００５３】
今度は、ＥＤＩＤメモリ２５の初期読み出しデータが変更されているため、映像送信装置１０の制御ユニット１２は、変更された初期読み出しデータに対応する形式の映像および音声の信号を送信するので、前回とは異なる解像度で映像及び音声が映像表示装置２０から出力される。
【００５４】
このようにこの実施形態の映像表示システムによれば、ＨＤＭＩ１のケーブル接続によって上記（１）のような現象が発生した場合、映像表示装置２０側でＥＤＩＤメモリ２５内の対応可能映像・音声等の形式データ（表示側認識用データ）を変更して映像送信装置１０に映像・音声等を別の形式で送信させることで、映像表示装置２０側の出力の不具合を回避することができる。これは（２）の現象が発生した場合にも有効である。
【００５５】
また、上記ＥＤＩＤメモリ２５内の対応可能映像形式の記述変更を一度行っただけでは映像及び音声が正常に出力されないことも考えられる。
【００５６】
そこで、リモコン３０のレスキュー操作が行われる度に初期読み出しデータとして設定する対応可能映像・音声等の形式データ（表示側認識用データ）を順次入れ変えて異なる値で複数回実施できるものとする。順位付けについては、解像度の高いものから順に低いものにしてもよく、ＶＧＡ（６４０×４８０）を基準に、表示パネル２７に画面が最低限表示されるまで解像度を下げていくようにしても良い。
【００５７】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００５８】
例えば、実施形態に示される全構成要素から幾つかの構成要素を削除してもよい。さらに、異なる実施形態にわたる構成要素を適宜組み合わせてもよい。
【００５９】
上記実施形態では、主にＨＤＭＩについて説明したが、これと同様なデジタルインターフェースとして、ＤＶＩ（Digital Visual Interface）等があり、これについても本願発明を適用可能である。
【００６０】
また上記実施形態では、ＥＤＩＤメモリ２５内の対応可能映像・音声等の形式データ（表示側認識用データ）の変更を、予め機器側に設定した順序で変更するようにしたが、利用者が望むように変更するようにしても良い。
【００６１】
この場合、制御ユニット２４は、リモコン３０に設けられたＨＤＭＩオプションボタン３２が押下された場合、表示側認識用データを変更するためのＨＤＭＩオプションメニュー画面４０（図４参照）を表示するメニュー表示部として機能する。
【００６２】
例えば、図５に示すように、リモコン３０に設けたＨＤＭＩオプションボタン３２が利用者により押下されると（Ｓ３０１）、リモコン３０から、ＨＤＭＩオプションメニュー表示コマンドが送信される。
【００６３】
リモコン３０から送信されたＨＤＭＩオプションメニュー表示コマンドが受付ユニット２１により受信され、受け付けられると、制御ユニット２４は、図４に示すようなＨＤＭＩオプションメニュー画面４０を表示パネル２７に表示する（Ｓ３０２）。
【００６４】
ＨＤＭＩオプションメニュー画面４０には、ＥＤＩＤメモリ２５内の対応可能映像・音声等の形式データ（表示側認識用データ）を使うか否かのチェックボックス４１が設けられている。
【００６５】
また、このＨＤＭＩオプションメニュー画面４０には、ＨＤＭＩ規格の新バージョンＶｅｒ．１．３により定義される色深度（Ｄｅｅｐ Ｃｏｌｏｒ）、拡張色空間規格（ｘｖＹｃｃ：ｅｘｔｅｎｄｅｄ  ｖｉｄｅｏ  ＹＣＣ）、オーディオリップ同期等をオン（Ｏｎ）にするかオフ（Ｏｆｆ）にするかの指定欄４２、オーディオデコーダ、ＣＥＣ等を利用するための指定欄４３等が設けられている。
【００６６】
利用者は、この指定欄４３に、オン（Ｏｎ）、オフ（Ｏｆｆ）、数値等を入力することで、所望の表示設定を行うことができる。
【００６７】
Ｄｅｅｐ Ｃｏｌｏｒは、１つのピクセル（画素）が表示可能な色数をビット表示で示したもので、ＨＤＭＩ規格の新バージョンＶｅｒ．１．３では、ＲＧＢで従来の２４ｂｉｔから４８ｂｉｔ（３０／３６／４８ｂｉｔ）に引き上げられる。
【００６８】
ｘｖＹｃｃとは、ＨＤＴＶで利用するＩＴＵ−Ｒ ＢＴ．７０９の色域（ｓＲＧＢと同等）との互換性を確保しながら、色空間を広げた色空間規格であり、今後、このようなＨＤＭＩの拡張規格に対応した映像送信装置１０が商品化される可能性があり、利用者が映像表示装置２０を先行して利用している場合にも対応することができる。
【００６９】
すなわち、指定欄４２は、今後の拡張規格であるディープカラー、ｘｖＹＣＣ等を有効または無効にするための指示を受け付けるための受付部であり、この指定欄４２にオンまたはオフが入力されることで、メモリにこのメニューのパラメータが設定され、以後のディスプレイ自動検出手順や機器接続後の表示動作に反映される。
【００７０】
これにより、利用者は、映像や音声の形式を、希望の形式に細部まで詳細に設定することができる。つまり、このＨＤＭＩオプションメニュー画面４０からの変更操作によって映像・音声等の形式データ（表示側認識用データ）が指定され、設定実行ボタンが操作されると、制御ユニット２４は、ＥＤＩＤメモリ２５内のＥＤＩＤデータを変更し、ＥＤＩＤメモリ２５を更新する（Ｓ３０３）。
【００７１】
すると、制御ユニット２４は、ＨＤＭＩ受信ブロック２２内部をリセットし、応答ユニット２３からのＨＰＤの出力をリセットさせ、映像送信装置１０からのＥＤＩＤデータの読み取りを待機する（Ｓ３０４）。
【００７２】
これにより、映像送信装置１０側にＨＤＭＩ１の接続が一旦解除されたものと検知させ、映像送信装置１０にディスプレイ自動検出手順を再度行わせる（Ｓ２０５）。
【００７３】
すなわち、不具合が発生したときとは別のＥＤＩＤデータを映像送信装置１０に読み込ませて、映像及び音声の送信形式を利用者の望む形式に変更させることができる。
【００７４】
なお、ＥＤＩＤメモリ２５内の表示可能映像・音声等の形式を変更する場合、映像に関しては、一例として、表示機器の第一推奨形式にあげられている「Detailed Timing Description #1」の内容を変更するものとする。また音声に関しては「Audio Tag」を変更するものとする。
【００７５】
通常、ＥＤＩＤメモリ２５には、表示機器の最高解像度情報が書かれている場合が多いため、これを別の低解像度情報に書き換えることで、映像が出ないという不具合を回避することができる。また、必要に応じて他のDetailed Timing Descriptionを変更することも可能である。
【図面の簡単な説明】
【００７６】
【図１】本発明の一実施形態の映像表示システムの構成を示す図である。
【図２】この映像表示システムのディスプレイ自動検出手順を示す図である。
【図３】リモコンのＨＤＭＩレスキューボタンの押下によるディスプレイ自動再検出動作のフローチャートである。
【図４】利用者が望む設定にするためのＨＤＭＩオプション設定画面を示す図である。
【図５】リモコンのＨＤＭＩオプションボタンの押下によるディスプレイ自動再検出動作のフローチャートである。
【符号の説明】
【００７７】
１０…映像送信装置、１１…ＨＤＭＩ送信ブロック、１２…制御ユニット、２０…映像表示装置、２１…受付ユニット、２２…ＨＤＭＩ受信ブロック、２３…応答ユニット、２４…制御ユニット、２５…メモリ、２６…ビデオプロセッサ、２７…表示パネル、２８…デジタルアナログ変換器（Ａ／Ｄ）、２９…スピーカ、３０…リモートコントローラー（リモコン）、３１…レスキューボタン、３２…ＨＤＭＩオプションボタン。
【図１】
2008158220.tif 000003
【図２】
2008158220.tif 000004
【図３】
2008158220.tif 000005
【図４】
2008158220.tif 000006
【図５】
2008158220.tif 000007